(57)【特許請求の範囲】
【請求項１】
複数の外壁材を上下左右に並設した外壁の目地構造であって、上下に隣接する前記外壁材の間に形成される横目地部には樋状部が設けられ、左右に隣接する前記外壁材の間に形成される縦目地部には前記樋状部に連通する排水路が設けられ、
前記横目地部にはその長手方向に連続した横目地部材が設けられ、
この横目地部材は、前記下側の外壁材の上端面に密着固定される板状の横目地用基部と、この横目地用基部の屋内側に長手方向に沿って上方に突設されかつ先端が前記上側の外壁材の下端面に圧接される屋内側立上部と、この屋内側立上部と並んで前記横目地用基部の屋外側に長手方向に沿って上方に突設されかつ先端が前記上側の外壁材の下端面に圧接される屋外側立上部とを備え、
これらの屋内側立上部および屋外側立上部の間が前記樋状部とされ、
前記横目地用基部の上面のうち前記屋内側立上部および屋外側立上部の間の部分には、屋内側から屋外側に向かう下り勾配が形成されていることを特徴とする外壁の目地構造。
【請求項２】
請求項１に記載した外壁の目地構造において、前記屋内側立上部および屋外側立上部はそれぞれ長手方向に連続した中空部を備えかつ可撓性を有することを特徴とする外壁の目地構造。
【請求項３】
請求項１または請求項２に記載した外壁の目地構造において、
前記縦目地部には、前記左右に隣接する外壁材の側端面に沿う縦目地用基部およびこの縦目地用基部から対向する前記外壁材の側端面に向かって突出する排水壁部を備えた一対の縦目地部材と、屋外側から前記縦目地部に圧入されて前記縦目地部材を覆う縦目地外装部材とが設けられ、
前記各排水壁部の突出方向先端縁は互いに当接され、これらの排水壁部よりも屋外側が前記排水路とされていることを特徴とする外壁の目地構造。
【請求項４】
請求項３に記載した外壁の目地構造において、前記排水壁部の突出方向先端縁はそれぞれ当接面とされ、これらの当接面が相互に面接触されていることを特徴とする外壁の目地構造。
【請求項５】
複数の外壁材を上下左右に並設した外壁の目地構造であって、上下に隣接する前記外壁材の間に形成される横目地部には樋状部が設けられ、左右に隣接する前記外壁材の間に形成される縦目地部には前記樋状部に連通する排水路が設けられ、
前記縦目地部には、前記左右に隣接する外壁材の側端面に沿う縦目地用基部およびこの縦目地用基部から対向する前記外壁材の側端面に向かって突出する排水壁部を備えた一対の縦目地部材と、屋外側から前記縦目地部に圧入されて前記縦目地部材を覆う縦目地外装部材とが設けられ、
前記各排水壁部の突出方向先端縁は互いに当接され、これらの排水壁部よりも屋外側が前記排水路とされ、
前記排水壁部の上端には、前記排水路と前記樋状部とを連通する排水ガイド部が設けられていることを特徴とする外壁の目地構造。
【請求項６】
請求項５に記載した外壁の目地構造において、前記排水ガイド部は、前記縦目地用基部および排水壁部と別体に形成されていることを特徴とする外壁の目地構造。
【発明の詳細な説明】
【０００１】
【発明の属する技術分野】
本発明は、複数の外壁材を上下左右に並設した外壁の目地構造に関する。
【０００２】
【背景技術】
従来より、住宅等の建物の外壁は、サイディング材等の外壁材を鉄骨や木材を組んだ骨組みに複数並べて組み付けることにより形成されている。また、予め製造した複数の建物ユニットを基礎上に組み立てて施工するユニット工法では、工場で建物ユニットを製造する際に、柱および梁を組んだ箱形の骨組みにそれぞれＡＬＣやＰＡＬＣ等の軽量気泡コンクリートからなる外壁材を組み付けておき、建設現場においてこれらの外壁材が隣接するように建物ユニットを配置して建物全体の外壁を形成するようにしている。
【０００３】
このような外壁では、隣接する外壁材の間に形成される目地部に防水処理を施す必要が生じる。目地部の防水処理としては、建設現場でコーキング材等を目地部内に充填する湿式の目地処理が行われていたが、コーキング材を打つための工数がかかるうえに、雨天時には施工できないという問題があるため、近年、乾式の目地処理が多用されている。
【０００４】
乾式の目地処理としては、例えば、〔１〕上下に隣接する外壁材の間に形成される横目地部に、乾式の目地処理材に加えて、下側の外壁材の屋外側の面の上端部まで達する水切材を設ける方法（実開平5−78708号公報）、〔２〕横目地部において、上側の外壁材の下端面から下側の外壁材の屋外側の面の上端部まで達するシート状の止水材を設け、この止水材を覆うようにガスケットを屋外側から設置する方法（実公平7-32672号公報）、〔３〕横目地部において、下側の外壁材の屋外側の面の上端部まで達する水切金物を設け、その上面に設けられた一対の防水突条を上側の外壁材の下端面に圧接させる方法（特開平7−76887号公報）、〔４〕断面略直角三角形のガスケットを横目地部に圧入する方法（実開平 1−118505号公報）がある。
【０００５】
【発明が解決しようとする課題】
しかし、前述した〔１〕〔２〕〔３〕の方法では、水切材、ガスケットおよび水切金物が外壁材の屋外側の面に露出しているため、美観が損なわれるうえに、水切材、ガスケットおよび水切金物自身に汚れが集中しやすいという問題があった。
また、〔４〕の方法では、ガスケットはその垂直面の上端部でしか上側の外壁材に圧接されないので、上側の外壁材とガスケットとの間に十分な防水性が得られないおそれがあった。このため、毛管現象等によりガスケットよりも屋内側に水が浸入した場合には、屋内の造作材等に悪影響を及ぼすことが考えられる。
【０００６】
本発明の目的は、十分な防水性を確保できかつ良好な外観を確保できる外壁の目地構造を提供することにある。
【０００７】
【課題を解決するための手段】
本発明は、図面を参照して説明すると、複数の外壁材６を上下左右に並設した外壁５の目地構造であって、上下に隣接する外壁材の間に形成される横目地部７には樋状部２０が設けられ、左右に隣接する外壁材の間に形成される縦目地部８には樋状部に連通する排水路３０が設けられ、前記横目地部にはその長手方向に連続した横目地部材が設けられ、この横目地部材は、前記下側の外壁材の上端面に密着固定される板状の横目地用基部と、この横目地用基部の屋内側に長手方向に沿って上方に突設されかつ先端が前記上側の外壁材の下端面に圧接される屋内側立上部と、この屋内側立上部と並んで前記横目地用基部の屋外側に長手方向に沿って上方に突設されかつ先端が前記上側の外壁材の下端面に圧接される屋外側立上部とを備え、これらの屋内側立上部および屋外側立上部の間が前記樋状部とされ、前記横目地用基部の上面のうち前記屋内側立上部および屋外側立上部の間の部分には、屋内側から屋外側に向かう下り勾配が形成されていることを特徴とする。
【０００８】
ここで、樋状部とは、内部に雨水等を流通可能な構造を有するものである。
本発明においては、横目地部に樋状部が設けられ、縦目地部に排水路が設けられているので、屋外から横目地部に浸入した水は樋状部で捕捉されて横目地部の長手方向に沿って流れ、横目地部および縦目地部の交差部分で縦目地部の排水路に導入され、この排水路を通じて下方へ排出されるようになる。
従って、横目地部に雨水が浸入しても、雨水は横目地部および縦目地部に沿って外壁材と外壁材との間を流れるようになり、横目地部および縦目地部に水を滞留させることなく速やかに排水できるから、屋内側への水の浸入を確実に防止できるようになり、優れた防水性を確保できる。
また、樋状部により横目地部の防水性を確保できるため、外壁材の表面に露出する従来の水切材等を省略できるから、水切材等への汚れの集中を回避することができるうえに良好な外観を確保できる。
さらに、樋状部に屋外側に向かう下り勾配が形成されるので、水が樋状部の屋外側の部分に沿って流れるようになって屋内側に向かうのを防止できるから、一層優れた防水性を確保できる。
【００１０】
また、横目地用基部に立設した屋外側立上部の先端は上側の外壁材の下端面に圧接されるため、屋外側立上部によって横目地部が屋外側から塞がれるから、良好な防水効果が得られる。
さらに、屋外側立上部および屋内側立上部の間が樋状部とされているので、屋外側立上部を越えて屋内側に浸入した雨水を樋状部で捕捉して横目地部の長手方向に沿って排水できる。
また、横目地部材の設置にあたっても、横目地用基部を下側の外壁材の上端面に密着固定しておき、この下側の外壁材上に上側の外壁材を配置して横目地部材を挟み込み、上側の外壁材を下端面を各立上部の先端に圧接させるだけで、簡単に設置できる。
そして、横目地用基部は板状に形成されているので、下側の外壁材の上端面に大面積で密着固定でき、横目地用基部と下側の外壁材との間に優れた防水性が得られる。
【００１１】
さらに、前述した屋内側立上部および屋外側立上部はそれぞれ長手方向に連続した中空部２３Ａ，２４Ａを備えかつ可撓性を有することが望ましい。
このようにすれば、立上部が変形しやすくなって上側の外壁材の下端面に容易に追従するようになるため、立上部と上側の外壁材との接触面積を大きくできるから、防水効果を高めることができる。
【００１３】
前述した縦目地部には、左右に隣接する外壁材の側端面に沿う縦目地用基部３３およびこの縦目地用基部から対向する外壁材の側端面に向かって突出する排水壁部３４を備えた一対の縦目地部材３１，３２と、屋外側から縦目地部に圧入されて縦目地部材を覆う縦目地外装部材５０とが設けられ、各排水壁部の突出方向先端縁は互いに当接され、これらの排水壁部よりも屋外側が排水路とされていてもよい。
【００１４】
このようにすれば、左右に隣接する外壁材の間に縦目地部材を設置するだけで排水路を簡単に形成できる。また、縦目地部材の設置にあたっても、左右の外壁材の対向する側端面にそれぞれ縦目地用基部を固定しておき、互いの排水壁部の突出方向先端縁が当接されるように外壁材を隣接配置するだけでよいので、簡単に設置できる。
さらに、縦目地部には縦目地外装部材が圧入されているので、縦目地部から屋内側に浸入しようとする雨水のほとんどは縦目地外装部材により遮られるようになる。また、この縦目地外装部材を越えて屋内側に浸入した雨水は、排水壁部により止水されて排水路を通じて排水されるため、縦目地外装部材および排水路によって縦目地部には二重の防水構造が形成されることになるから、優れた防水性能が得られる。
また、縦目地部材は縦目地外装部材により覆われるので、良好な外観を確保できる。
【００１５】
これらの排水壁部の突出方向先端縁はそれぞれ当接面３５とされ、これらの当接面が相互に面接触されていることが望ましく、これによれば、排水壁部相互の突出方向先端縁の密着性を高めることができるので、高い防水性能が得られる。
【００１６】
また、本発明は、複数の外壁材６を上下左右に並設した外壁５の目地構造であって、上下に隣接する外壁材の間に形成される横目地部７には樋状部２０が設けられ、左右に隣接する外壁材の間に形成される縦目地部８には樋状部に連通する排水路３０が設けられ、前記縦目地部には、前記左右に隣接する外壁材の側端面に沿う縦目地用基部およびこの縦目地用基部から対向する前記外壁材の側端面に向かって突出する排水壁部を備えた一対の縦目地部材と、屋外側から前記縦目地部に圧入されて前記縦目地部材を覆う縦目地外装部材とが設けられ、前記各排水壁部の突出方向先端縁は互いに当接され、これらの排水壁部よりも屋外側が前記排水路とされ、排水壁部の上端には、排水路と樋状部とを連通する排水ガイド部３６が設けられていることを特徴とする。
このようにすれば、樋状部を流れる水が確実に排水路に導かれるようになり、樋状部と排水路との接続部分にも十分な防水性を確保できる。
【００１７】
この排水ガイド部は、縦目地用基部および排水壁部と別体に形成されていることが望ましく、これによれば、縦目地部の長手方向寸法によって縦目地用基部および排水壁部の長さが異なっても、排水ガイド部を共通化できる。
【００１８】
【発明の実施の形態】
以下、本発明の一実施形態を図面に基づいて説明する。
図１には、本実施形態の外壁５を備えた二階建てのユニット式建物１が示されている。ユニット式建物１は、基礎２上に箱形の建物ユニット３を複数積層配列し、それらの建物ユニット３の上方に屋根９を設けて構築されている。
建物ユニット３は、図２に示すように、四本の柱１１、これらの四本の柱１１の上端間を連結する上梁１２および四本の柱１１の下端間を連結する下梁１３を含む直方体形状の骨組み４と、上梁１２間に架け渡された複数の小梁１４と、下梁１３間に架設された複数の根太１５とを備えている。骨組み４内には、天井面材１６および床面材１７が張られるとともに図示しない内壁、間仕切壁等が組み込まれて内装が施工され、建物１（図１参照）の外周にあたる骨組み４の側面にはＡＬＣやＰＡＬＣ等の軽量気泡コンクリートからなる外壁材６が取り付けられている。また、建物１の角部を構成する建物ユニット３の骨組み４には、出隅部となる部分にＬ字状の外壁材６（図１参照）が取り付けられている。
【００１９】
図１に戻って、このような建物ユニット３は積層配列されているため、各建物ユニット３の外壁材６が上下左右に並設されることになり、これらの外壁材６によってユニット式建物１の外壁５が構成されている。
この外壁５においては、上下に隣接する外壁材６の間には横目地部７が形成され、左右に隣接する外壁材６の間には縦目地部８が形成されている。
【００２０】
本実施形態の外壁５では、図３に示すように、上側の外壁材６Ａと下側の外壁材６Ｂとの間の横目地部７に樋状部２０が設けられている。この樋状部２０は、横目地部７に設けられた横目地部材２１により構成されている。
この横目地部材２１は、可撓性を有する材料、例えば、ＥＰＤＭ等のゴム或いは塩化ビニル等の樹脂からなり、横目地部７の長手方向に連続した形状を有している。横目地部材２１は、図４にも示すように、下側の外壁材６Ｂの上端面に密着固定される板状の横目地用基部２２と、この横目地用基部２２の屋内側に長手方向に沿って上方に突設された屋内側立上部２３と、この屋内側立上部２３と並んで横目地用基部２２の屋外側に長手方向に沿って上方に突設された屋外側立上部２４とを備えて一体的に形成され、これらの一対の立上部２３，２４の間が樋状部２０とされている。
【００２１】
横目地用基部２２は、その下部に接着された両面テープ２５を介して下側の外壁材６Ｂ（図３参照）に接着固定されている。両面テープ２５は、弾力性および防水性を有するブチルゴム系或いは天然ゴム系の材料からなる基材の両面に流性を有する粘着材を設けたものであり、横目地用基部２２および下側の外壁材６Ｂに挟み込まれることによって弾性変形し、外壁材６Ｂの上端面および横目地用基部２２に十分に密着固定されている。これにより、横目地用基部２２は下側の外壁材６Ｂに面接触されていても、その間からの毛管現象による水の浸入を阻止できる。なお、横目地用基部２２は、両面テープ２５の代わりに接着剤を用いて固定してもよい。
また、横目地用基部２２の上面のうち屋内側立上部２３および屋外側立上部２４の間の部分である樋状部底面２６には、屋内側から屋外側に向かう下り勾配が形成され、樋状部２０内の水がその屋外側の部分に沿って流れるようになっている。
【００２２】
屋内側立上部２３および屋外側立上部２４はそれぞれ長手方向に連続した中空部２３Ａ，２４Ａを備え、弾性変形して上側の外壁材６Ａの下端面に密着するようになっている。
この屋外側立上部２４の屋外側の面は外装面２４Ｂとされ、外壁材６（図１参照）と同様な色、質感になるように外装が施されて外壁５の美観を損なわないようになっている。
【００２３】
このように構成された横目地部材２１は、図５に示すように、外壁材６Ａ，６Ｂに上下から挟み込まれている。
横目地部材２１の屋内側立上部２３および屋外側立上部２４の各先端部は弾性変形して上側の外壁材６Ａの下端面に圧接され、隙間なく密着している。
なお、図示しないが、ユニット式建物１の角部においては（図１参照）、上下に積層されたＬ字状の外壁材６の間に形成された横目地部７に、Ｌ字状に屈曲している以外は横目地部材２１と同様な構造を有する横目地部材が設けられ、この横目地部材により屈曲した樋状部が形成されている。
【００２４】
一方、図６に示すように、左右に隣接する外壁材６Ｂ，６Ｃの間に形成された縦目地部８には樋状部２０に連通する排水路３０が設けられ、樋状部２０に沿って流れてきた水を排水路３０を通じて排水できるようになっている。この排水路３０は、縦目地部８に設けられた一対の縦目地部材３１，３２により構成されている。
縦目地部材３１，３２は、それぞれ可撓性を有する材料、例えば、ＥＰＤＭ等のゴム、塩化ビニル等の樹脂からなり、縦目地部８の長手方向（高さ方向）に連続した形状を備えている。縦目地部材３１は、図７にも示すように、外壁材６Ｂの側端面に沿う板状の縦目地用基部３３、およびこの縦目地用基部３３から対向する外壁材６Ｃの側端面に向かって突出する排水壁部３４を有して構成されている。縦目地部材３２は、この縦目地部材３１と対称に形成され、外壁材６Ｃの側端面に沿う縦目地用基部３３およびこの縦目地用基部３３から対向する外壁材６Ｂの側端面に向かって立ち上がる排水壁部３４を備えている。
【００２５】
これら縦目地部材３１，３２の各縦目地用基部３３は、それぞれ接着剤や前述したブチルゴム等からなる両面テープ等により外壁材６Ｂ，６Ｃの側端面に隙間なく密着固定されている。
また、縦目地部材３１，３２の各排水壁部３４の突出方向先端縁はそれぞれ当接面３５とされ、これらの当接面３５同士が相互に面接触されている。これにより、各排水壁部３４の突出方向先端縁は互いに隙間なく密着され、これら一対の排水壁部３４よりも屋外側が排水路３０とされている。
【００２６】
一階部分の縦目地部８に設けられる縦目地部材３１，３２の各排水壁部３４の上端には、排水路３０と樋状部２０とを連通する排水ガイド部３６が設けられている。この排水ガイド部３６は、排水壁部３４から上方に突出するガイド壁部４１と、このガイド壁部４１から延設されて樋状部２０に挿入される挿入壁部４２と、これらのガイド壁部４１の上端および挿入壁部４２の上端に設けられたガイド面４３とを含んで一体成形されている。この排水ガイド部３６は、縦目地用基部３３および排水壁部３４と別体に形成され、接着等により一体化されている。このような縦目地部材３１と同様に、縦目地部材３２も排水ガイド部３６を備えている。
なお、二階部分の縦目地部８に設けられる縦目地部材３１，３２は排水ガイド部３６を備えていない。
【００２７】
図６に戻って、縦目地部８には、縦目地部材３１，３２を覆うＥＰＤＭ等のゴム或いは塩化ビニル等の樹脂からなる縦目地外装部材５０が屋外側から圧入されている。
縦目地外装部材５０は、縦目地部８の長手方向（高さ方向）に連続した形状を有し、図８にも示すように、縦目地部８を塞ぐ外装部５１と、縦目地部８内に挿入される挿入部５２とを有して構成されている。外装部５１には外壁材６と同様な色、質感になるように外装が施され、挿入部５２はその先端および中間部分にそれぞれ長手方向に沿って左右に突出する封止片５３を備えている。
【００２８】
このように構成された縦目地部材３１，３２および縦目地外装部材５０は、図９に示すように、外壁材６Ｂ，６Ｃに左右から挟み込まれている。
縦目地外装部材５０の各封止片５３の先端は縦目地部材３１，３２の各縦目地用基部３３に圧接され、これにより、縦目地用基部３３がそれぞれ外壁材６Ｂ，６Ｃに押圧されている。外装部５１の左右の側端はそれぞれ外壁材６Ｂ，６Ｃの側端面に圧接されている。
【００２９】
また、縦目地部８の排水路３０よりも屋内側にはバックアップ材３７が圧入され、万一雨水が縦目地部材３１，３２よりも屋内側に浸入しても、バックアップ材３７および縦目地部材３１，３２の間の空間から下方に落とし込んで排水できるようになっている。
【００３０】
このように構成された本実施形態においては、次のような手順で横目地部７および縦目地部８の防水処理を行う。
先ず、押出し成形等により長尺に成形して巻き取っておいた横目地部材２１を横目地部７の長手方向寸法、つまり下側の外壁材６Ｂの上端面の長手方向寸法に応じた長さに切断する。また、縦目地部材３１，３２および縦目地外装部材５０も予め長尺に成形して巻き取っておき、縦目地部材３１，３２は、各階の縦目地部８の長手方向寸法、つまり左右に隣接する外壁材６Ｂ，６Ｃの各側端面の長手方向寸法に応じた長さに切断し、縦目地外装部材５０は、一階および二階部分の縦目地部８を連続して塞ぐ長さに切断する。このとき、一階部分の縦目地部８に設置する縦目地部材３１，３２の各縦目地用基部３３および排水壁部３４の上端には排水ガイド部３６を接着固定する。
【００３１】
そして、ユニット式建物１の一階部分に配置される建物ユニット３の外壁材６の上端面、つまり、横目地部７を構成する下側の外壁材６Ｂの上端面に横目地部材２１を密着固定する。このとき、樋状部２０にはその長手方向に沿った勾配が形成される。すなわち、外壁材６を骨組み４に通常の作業で取り付けた場合、その上端面を厳格に水平面に保った状態で取り付けることは困難である。そこで、その取付け時に生じる傾きを利用して樋状部２０に長手方向に沿った勾配を形成できる。
また、建物ユニット３の外壁材６の両側端面、つまり、縦目地部８を構成する左右の外壁材６Ｂ，６Ｃの対向する側端面にそれぞれ縦目地部材３１，３２の縦目地用基部３３を密着固定し、排水ガイド部３６の挿入壁部４２を樋状部２０に挿入する。
なお、これらの横目地部材２１および縦目地部材３１，３２の取付けは、建物ユニット３の組立てとともに工場で予め行ってもよく、建設現場において建物ユニット３を施工する際に行ってもよい。
【００３２】
次に、建設現場において建物ユニット３を基礎２上に順次積層配列する。この施工にあたって、建物ユニット３を水平方向に隣接配置する際には、左右に並列配置される外壁材６Ｂ，６Ｃの間で縦目地部材３１，３２の各当接面３５が互いに密着するように建物ユニット３を配置する。また、建物ユニット３を積層する際には、上下に隣接配置される外壁材６Ａ，６Ｂの間で横目地部材２１の各立上部２３，２４の先端部が上側の外壁材６Ａの下端面に圧接されるように上側の建物ユニット３を下側の建物ユニット３上に載置する。
続いて、縦目地外装部材５０を縦目地部８に屋外側から圧入して縦目地部材３１，３２を覆うとともに、上下の建物ユニット３に跨る長さのバックアップ材３７を屋内側から圧入する。
【００３３】
なお、ユニット式建物１の角部を構成する建物ユニット３については、工場で建物ユニット３を組み立てる際に、出隅部に取り付けるＬ字状の外壁材６とこれに隣接する平板状の外壁材６との間の縦目地部８に、縦目地部材３１，３２、縦目地外装部材５０およびバックアップ材３７を設置しておく。
【００３４】
このように構成された本実施形態では、横目地部７においては、雨水のほとんどは屋外側立上部２４で遮られ、この屋外側立上部２４を越えて屋内側に浸入した雨水は、屋内側立上部２３で止水されて樋状部２０で捕捉される。樋状部２０で捕捉された水は、横目地部材２１の設置時に樋状部底面２６に形成された長手方向の勾配に従って上下の外壁材６Ａ，６Ｂの間を横目地部７の長手方向に沿って流れる。このとき、水は樋状部底面２６の屋外側に向かう下り勾配により樋状部２０内の屋外側の部分を流れる。樋状部２０を流れた水は、排水ガイド部３６を介して排水路３０に導入され、左右の外壁材６Ｂ，６Ｃの間を排水路３０に沿って流れ落ちて排水される。
【００３５】
一方、縦目地部８においては、雨水のほとんどは縦目地外装部材５０により遮断され、縦目地外装部材５０を越えて縦目地部８に浸入した水はそのまま排水路３０に導入され、左右の外壁材６Ｂ，６Ｃの間を下方に流れ落ちて排水される。
【００３６】
このような本実施形態によれば、以下のような効果がある。
すなわち、横目地部７に樋状部２０が設けられ、縦目地部８に排水路３０が設けられているので、屋外から横目地部７に浸入した水は樋状部２０で捕捉されて横目地部７の長手方向に沿って流れ、横目地部７および縦目地部８の交差部分で縦目地部８の排水路３０に導入され、この排水路３０を通じて下方へ排出される。
従って、横目地部７に雨水が浸入しても、雨水は横目地部７および縦目地部８に沿って外壁材６と外壁材６との間を流れるようになり、横目地部７および縦目地部８に水を滞留させることなく速やかに排水できるから、屋内側への水の浸入を確実に防止できるようになり、優れた防水性を確保できる。
また、樋状部２０により横目地部７の防水性が十分に確保されるため、外壁材の表面に露出する従来の水切材等を省略できるから、水切材等への汚れの集中を回避することができるうえに良好な外観を確保できる。
【００３７】
さらに、横目地部材２１の横目地用基部２２には二列の立上部２３，２４が立設され、屋外側立上部２４の先端は上側の外壁材６Ａの下端面に圧接されるため、屋外側立上部２４によって横目地部７が塞がれるから、良好な防水効果が得られる。また、屋内側立上部２３の先端部は上側の外壁材６Ａの下端面に圧接されているので、屋外側立上部２４を越えて屋内側に浸入した水を屋内側立上部２３により確実に止水できるから、優れた防水性を確保できる。
【００３８】
また、横目地部材２１の設置にあたっても、横目地用基部２２を下側の外壁材６Ｂの上端面に密着固定しておき、この下側の外壁材６Ｂ上に上側の外壁材６Ａを配置して横目地部材２１を挟み込み、上側の外壁材６Ａを下端面を各立上部２３，２４の先端に圧接させるだけでよいので、簡単に設置できる。
そして、横目地用基部２２は板状に形成されているので、下側の外壁材６Ｂの上端面に大面積で密着固定でき、横目地用基部２２と下側の外壁材６Ｂとの間に優れた防水性が得られる。
【００３９】
また、樋状部底面２６には屋内側から屋外側に向かう下り勾配が形成されているので、水が樋状部２０の屋外側の部分に沿って流れ、屋内側に向かって移動するのを防止できるから、横目地部７の防水性を一層高めることができる。
さらに、屋内側立上部２３および屋外側立上部２４はそれぞれ中空部２３Ａ，２４Ａを備えかつ可撓性を有するので、弾性変形して上側の外壁材６Ａの下端面に対して容易かつ確実に追従するようになり、立上部２３，２４と上側の外壁材６Ａとの接触面積を大きく確保できるから、防水効果を高めることができる。
【００４０】
さらに、縦目地部８には一対の縦目地部材３１，３２が設けられ、これらの縦目地部材３１，３２の各排水壁部３４よりも屋外側が排水路３０とされているため、左右に隣接する外壁材６Ｂ，６Ｃの間に縦目地部材３１，３２を設置するだけで排水路３０を簡単に形成できる。
また、二つの縦目地部材３１，３２の各排水壁部３４の突出方向先端縁を互いに当接させることにより排水路３０を構成するので、縦目地部材３１，３２をそれぞれ左右に隣接する外壁材６Ｂ，６Ｃの側端面に固定しておき、互いの排水壁部３４の突出方向先端縁が当接されるように建物ユニット３を隣接配置するだけでよいので、簡単に設置できる。
【００４１】
そして、縦目地部８には縦目地外装部材５０が圧入されているので、縦目地部８から屋内側に浸入しようとする雨水のほとんどは縦目地外装部材５０により遮られるようになる。また、この縦目地外装部材５０を越えて屋内側に浸入した雨水は、排水壁部３４により止水されて排水路３０を通じて排水されるため、縦目地外装部材５０および排水路３０により、縦目地部８には二重の防水構造が形成されることになるから、優れた防水性能が得られる。
また、縦目地部材３１，３２は縦目地外装部材５０により覆われるので、良好な外観を確保できる。
【００４２】
さらに、排水壁部３４の突出方向先端縁はそれぞれ当接面３５とされ、これらの当接面３５が相互に面接触されているため、排水壁部３４相互の突出方向先端縁の密着性を高めることができるので、高い防水性能が得られる。
【００４３】
また、排水壁部３４の上端には、排水路３０と樋状部２０とを連通する排水ガイド部３６が設けられているので、樋状部２０を流れる水が確実に排水路３０に導かれるようになり、樋状部２０と排水路３０との接続部分にも十分な防水性を確保できる。
【００４４】
そして、排水ガイド部３６は、縦目地用基部３３および排水壁部３４と別体に形成されているため、縦目地部８の長手方向寸法、つまり、外壁材６Ｂ，６Ｃの側端面の長手方向寸法によって縦目地用基部３３および排水壁部３４の長さが異なる場合にも排水ガイド部３６を共通化できる。
【００４５】
そして、縦目地外装部材５０の挿入部５２は、外壁材６Ｂ，６Ｃの各側端面に向かって突出する封止片５３を有するので、封止片５３によって縦目地用基部３３がそれぞれ左右の外壁材６Ｂ，６Ｃの側端面に押圧されるから、縦目地用基部３３と外壁材６Ｂ，６Ｃとの密着性を高めることができる。
また、縦目地外装部材５０は、各封止片５３がそれぞれ左右の縦目地用基部３３に圧接されるように屋外側から縦目地部８に圧入するだけで設置できるので、簡単かつ確実に設置できる。
【００４６】
さらに、縦目地部８の縦目地部材３１，３２よりも屋内側にはバックアップ材３７が圧入されているので、縦目地部材３１，３２よりも屋内側に浸入した水をバックアップ材３７と縦目地部材３１，３２との間を通じて確実に排水できる
【００４７】
なお、本発明は前記実施形態に限定されるものではなく、本発明の目的を達成できる他の構成等を含み、以下に示すような変形なども本発明に含まれる。
すなわち、前記実施形態の横目地部材２１の各立上部２３，２４は、略矩形の断面形状を備えていたが、例えば、図１０に示すように、屋内側立上部１２３および屋外側立上部１２４を角を丸めた形状にしてもよい。このような横目地部材１２１によると、上側の外壁材の下端面に一層追従しやすくなるうえに外壁材との接触面積を大幅に拡大できるので、密着性を高めることができるから、良好な防水効果を期待できる。
或いは、図１１に示すように、屋内側立上部２３および屋外側立上部２４の間に他の立上部２９を立設し、この立上部２９と各立上部２３，２４との間をそれぞれ樋状部２０として横目地部材２２１を形成してもよい。このようにすると、二つの樋状部２０が並設されることになるので、優れた防水性を確保できる。
【００４８】
前記実施形態の排水ガイド部３６は、縦目地用基部３３および排水壁部３４と別体に形成されていたが、図１２に示すように、排水ガイド部３６を縦目地用基部３３および排水壁部３４と一体成形してもよく、或いは、縦目地部材３１，３２を一体成形して左右の外壁材６Ｂ，６Ｃで挟持するようにしてもよい。
【００４９】
前記実施形態の排水路３０は一対の縦目地部材３１，３２により構成されていたが、これらに限定されず、例えば、縦目地部８に、長手方向（上下方向）に貫通する中空部を備えた筒状のゴム製防水部材を設け、その中空部を排水路としてもよい。要するに、排水路は、樋状部に連通されて水を縦目地部に沿って流せるものであれば、その構造や形状は任意である。
【００５０】
また、前記実施形態では、二階部分の外壁材と一階部分の外壁材との間の横目地部７に樋状部２０を形成したが、二階部分、つまり上側の外壁材の上端にも適宜樋状部２０を形成して外壁材の上端面の長手方向に沿って水を流すようにしてもよい。さらには、一階部分、つまり下側の外壁材の下端に樋状部２０を設けてもよい。
【００５１】
また、前記実施形態の外壁材６は、比較的厚く形成される軽量気泡コンクリート製であったが、これよりも薄いサイディング材等により外壁材を形成してもよい。しかし、本発明は外壁材と外壁材との間の空間を利用して水を流す構造であるため、外壁材は厚く形成されていることが好ましい。
前記実施形態においては、樋状部２０および排水路３０は、ユニット式建物１の外壁５の目地部７，８に設けられていたが、本発明は、例えば、建設現場で複数の外壁材を鉄骨軸組みフレーム等に取り付けて形成される外壁等、ユニット工法以外の工法によって建てられる各種建物の外壁に適用することができる。
【００５２】
【発明の効果】
以上に述べたように、本発明によれば、横目地部に樋状部が設けられ、縦目地部に排水路が設けられているので、屋外から横目地部に浸入した水は樋状部で捕捉されて横目地部の長手方向に沿って流れ、横目地部および縦目地部の交差部分で縦目地部の排水路に導入され、この排水路を通じて下方へ排出される。
従って、雨水は横目地部および縦目地部に沿って外壁材と外壁材との間を流れるようになり、横目地部および縦目地部に水を滞留させることなく速やかに排水できるので、屋内側への水の浸入を確実に防止できるから、優れた防水性を確保できる。
また、樋状部により横目地部の防水性が十分に確保されるため、従来の水切材等が不要となるから、水切材等への汚れの集中を回避することができるうえに良好な外観を確保できる。
【図面の簡単な説明】
【図１】本発明の一実施形態を示す斜視図。
【図２】前記実施形態の建物ユニットを示す斜視図。
【図３】前記実施形態の横目地部を示す拡大斜視図。
【図４】前記実施形態の横目地部材を示す図。
【図５】前記実施形態の横目地部を示す拡大断面図。
【図６】前記実施形態の横目地部および縦目地部の交差部分を示す分解斜視図。
【図７】前記実施形態の縦目地部材を示す斜視図。
【図８】前記実施形態の縦目地外装部材を示す図。
【図９】前記実施形態の縦目地部を示す拡大断面図。
【図１０】本発明の他の横目地部材を示す図。
【図１１】本発明のさらに他の横目地部材を示す図。
【図１２】本発明の他の縦目地部材を示す斜視図。
【符号の説明】
５  外壁
６，６Ａ，６Ｂ，６Ｃ  外壁材
７  横目地部
８  縦目地部
２０  樋状部
２１，１２１，２２１  横目地部材
２２  横目地用基部
２３，１２３  屋内側立上部
２４  屋外側立上部
２３Ａ，２４Ａ  中空部
２６  樋状部底面
２９  立上部
３０  排水路
３１，３２  縦目地部材
３３  縦目地用基部
３４  排水壁部
３５  当接面
３６  排水ガイド部
５０  縦目地外装部材
５１  外装部
５２  挿入部
５３  封止片
【図１】
0003810879.tif 000002
【図２】
0003810879.tif 000003
【図３】
0003810879.tif 000004
【図４】
0003810879.tif 000005
【図５】
0003810879.tif 000006
【図６】
0003810879.tif 000007
【図７】
0003810879.tif 000008
【図８】
0003810879.tif 000009
【図９】
0003810879.tif 000010
【図１０】
0003810879.tif 000011
【図１１】
0003810879.tif 000012
【図１２】
0003810879.tif 000013